(57)【要約】【課題】ペン先交換しうる塗布具に、塗布具全体が嵩張らないで、スペアーのペン先を収納できるようにした塗布具用のキャップを提供すること。【解決手段】柱状のペン先を着脱可能に取り付けた塗布具に用いる、後方が開口した有底筒状の塗布具用キャップにおいて、この塗布具用キャップは、その外側面に、溝状のスペアーペン先のペン先収納部を複数設けたものであることを特徴とする塗布具用キャップ。及び、この塗布具用キャップは、クリップを有すると共に、前方が開口する有底筒状のスペアーペン先用ペン先収納部を、前記塗布具用キャップの外側面であって、前記クリップ部前方に一体に設けたものであることを特徴とする塗布具用キャップ。及び、この塗布具用キャップは、その外側面に凹状のスペアーペン先のペン先収納部を設けると共に、このペン先収納部の蓋部を設けたものであることを特徴とする塗布具用キャップ。【選択図】　　図４
2004025475.tif 000002
【特許請求の範囲】
【請求項１】
柱状のペン先を着脱可能に取り付けた塗布具に用いる、後方が開口した有底筒状の塗布具用キャップにおいて、この塗布具用キャップは、その外側面に、溝状のスペアーペン先のペン先収納部を複数設けたものであることを特徴とする塗布具用キャップ。
【請求項２】
柱状のペン先を着脱可能に取り付けた塗布具に用いる、後方が開口した有底筒状の塗布具用キャップにおいて、この塗布具用キャップは、クリップを有すると共に、前方が開口する有底筒状のスペアーペン先用ペン先収納部を、前記塗布具用キャップの外側面であって、前記クリップ部前方に一体に設けたものであることを特徴とする塗布具用キャップ。
【請求項３】
柱状のペン先を着脱可能に取り付けた塗布具に用いる、後方が開口した有底筒状の塗布具用キャップにおいて、この塗布具用キャップは、その外側面に凹状のスペアーペン先のペン先収納部を設けると共に、このペン先収納部の蓋部を設けたものであることを特徴とする塗布具用キャップ。
【請求項４】
塗布具用キャップは、透視性を有する材料により形成されたものであることを特徴とする請求項１〜３の何れかに記載の塗布具用キャップ。
【発明の詳細な説明】
【０００１】
【発明の属する技術分野】
本発明は、屋外コンクリート壁面塗布用など、ペン先が損傷し易い用途でのペン先交換が可能な塗布具に用いられる塗布具用キャップに関する。
【０００２】
【従来の技術】
従来のペン先が交換できる筆記具としては、▲１▼実願昭５３−２２３０５号公報の「筆記具」に、筆記具のキャップにペン先を着脱可能にし、フェルトペン本体の後部に、ペン先を収納し得る筆記具が開示されている。
筆記具のクリップ部を用いてペン先交換できる筆記具としては、▲２▼特願昭６３−３０７９４１号公報の「筆記及び製図用具」に、クリップを有したキャップに、ペン先部をねじり込みにより軸への取付けと取り外しを行うよう、キャップとクリップにレンチ状の内面を有する筆記及び製図用具が開示されている。
【０００３】
【発明が解決しようとする課題】
ペン先が着脱可能な塗布具に用いるキャップに、スペアーペン先を収納し得るようにすることである。
これ迄、スペアーのペン先を交換するには、それ迄用いていた損傷してきたペン先を廃棄し、別の場所に保管していた新しいペン先を装着する方法や、実願昭５３−２２３０５号公報の「筆記具」に開示されているように、本体の後部に収納されたペン先を用いてペン先を交換する方法が知られていた。塗布具本体に（スペアーの）ペン先を収納させようとする場合は、塗布液を内蔵する部位とは別の部位に、ペン先の収納スペースを確保しなければならず、塗布具全体が、大きく（太く、又は、長く）なり、着衣のポケット等への携帯性が低下するものであった。
本発明は、スペアーのペン先を収納でき、かつ、塗布具全体が嵩張らないようにした、塗布具用のキャップを提供することを課題とする。
【０００４】
【課題を解決するための手段】
本発明は、柱状のペン先を着脱可能に取り付けた塗布具に用いる、後方が開口した有底筒状の塗布具用キャップにおいて、この塗布具用キャップは、その外側面に、溝状のスペアーペン先のペン先収納部を複数設けたものであることを特徴とする塗布具用キャップを第１の要旨とする。また、柱状のペン先を着脱可能に取り付けた塗布具に用いる、後方が開口した有底筒状の塗布具用キャップにおいて、この塗布具用キャップは、クリップを有すると共に、前方が開口する有底筒状のスペアーペン先用ペン先収納部を、前記塗布具用キャップの外側面であって、前記クリップ部前方に一体に設けたものであることを特徴とする塗布具用キャップを第２の要旨とする。更に、柱状のペン先を着脱可能に取り付けた塗布具に用いる、後方が開口した有底筒状の塗布具用キャップにおいて、この塗布具用キャップは、その外側面に凹状のスペアーペン先のペン先収納部を設けると共に、このペン先収納部の蓋部を設けたものであることを特徴とする塗布具用キャップを第３の要旨とする。
【０００５】
【実施例】
以下、本発明について添付図面を参照しながら、更に詳細に説明する。
図１、図２に第一実施例を示す。図１はキャップを一部断面にした正面図を示し、図２は図１の拡大上面図を示す。
参照符号１は、内部が塗布液収容室となっている、円筒形の容器である。
容器１前方には、筒状の前軸２を配置している。前記容器１と前軸２は、螺合結合させている。
前軸２前方には、前軸２内から一部前方に突出するように、全体が円柱状で前端が砲弾形のペン先３を配置している。このペン先３は、前後方向に多数の樹脂製繊維の各繊維向きを揃え、この多数の繊維同士を熱硬化性樹脂などで部分的に接着して連続気孔を形成したものである。
前軸２内には、図示していないが、ペン先３を紙面上等でノックすることにより開閉する弁機構を配置している。
【０００６】
前軸２前方には、前軸２の前部とペン先３を覆うような後方が開口した有底筒状のキャップ４を、前軸２と着脱が容易なように配置している。
このキャップ４は、有底筒状の筒部と、筒部の前方には上面から見て（図２参照）卵形のように尖るような形状の膨出部４ａを設け、膨出部４ａから後方に向けて伸びる略板状のクリップ４ｂを設けている。キャップ４の外周前方には、３箇所のえぐられた形状の凹部４ｃを設けている。また、キャップ４の膨出部４ａは、一定厚さで設けている。さらに、キャップ４の膨出部４ａ内面の最も尖った箇所から、キャップ４の軸心に向けてリブ４ｄを設けている。キャップ４の膨出部４ａ内面と、凹部４ｃと、リブ４ｅとで、前方が開口するようにしたペン先収納部４ｅを構成している。
キャップ４のペン先収納部４ｅには、キャップ４の軸心と並行に、前軸２に挿入されたペン先３と略同一の２個のスペアーペン先３ａを、スペアーペン先３ａの一部がキャップ４の前端から突出するように、圧入している。
キャップ４は、合成樹脂材料で成形するが、透明材料、半透明材料又は着色半透明材料（スモーク色）といった透視性を有する材料や、不透明材料、着色不透明材料といった透視性を有していない材料の何れの材料を用いても良いが、意匠性を考慮すると透視性を有している材料を用いることが好ましい。
キャップ４の前端から突出するペン先３を保護するため、軟質の筒状体などをキャップ４外周に装着しても良い。
ペン先３は、円柱状で前端が砲弾形の形状のものを示したが、例えば、角柱状で前端がチズル形状のものでも良く、ペン先収納部形状はペン先形状に合わせたものにすれば良い。
【０００７】
本実施例に係る塗布具用キャップを用いれば、塗布具全体が嵩張らないで、スペアーのペン先を収納できる。
【０００８】
図３〜図５に第二実施例を示す。図３はキャップのみを断面にした正面図を示し、図４はペン先が挿入された状態のキャップの正面図を示し、図５は図３の拡大上面図を示す。
前軸１２は、筒状の前方を第一実施例の前軸２より、やや細くしたものである。
ペン先１３は、第一実施例のペン先３より、やや細くしたものである。
前軸１２前方には、前軸１２の前部とペン先１３を覆うような後方が開口した有底筒状のキャップ１４を配置している。
このキャップ１４は、有底筒状の筒部と、この筒部の前端に連設する板状のクリップ１４ｂとよりなっており、板状のクリップ１４ｂは、キャップ１４の軸心と並行に配置されている。
キャップ１４の外周前方に、キャップ１４の軸心と並行に、キャップ１４を上面から見て（図５参照）Ω字状の溝となす、ペン先収納部１４ｅを等間隔に独立させて７箇所設けている。
キャップ１４のペン先収納部１４ｅには、前軸１２に挿入されたペン先１３と略同一の、７個のスペアーペン先１３ａを圧入している。
【０００９】
作用効果は、第一実施例と同様である。さらに、本実施例では、多数のスペアーペン先を装着できるので、ペン先交換頻度が高くても、容易にペン先交換ができるものである。
【００１０】
図６〜図８に第三実施例を示す。図６はスペアーペン先を収納したキャップの正面図を示し、図７は図６の上面拡大図を示し、図８は図６の蓋部が開いた状態図を示す。
ペン先は、第二実施例のペン先１３と略同一なものである。
キャップ２４は、有底筒状の筒部と、この筒部の前端に連設する板状のクリップ２４ｂとよりなっており、板状のクリップ２４ｂは、キャップ２４の軸心と並行に配置されている。
キャップ２４の外周前方に、キャップ２４の軸心と並行に、一部凹状のペン先収納部２４ｅを設けている。このペン先収納部２４ｅを覆うように、キャップ２４の前端に屈曲自由な薄板状のヒンジ部２４ｆを連設し、更にヒンジ部２４ｆに蓋部２４ｇを連設している。この蓋部２４ｇは、その後方内面に一部突出する突起部２４ｈを設けている。また、キャップ２４のペン先収納部２４ｅ後方には、蓋部２４ｇを開け易いように、少し窪んだ凹部２４ｉを設けている。凹部２４ｉの前方には、突起部２４ｈと嵌め合わされるように、角穴状の突起受け部２４ｊを設けている。
キャップ２４のペン先収納部２４ｅには、スペアーペン先２３ａを２個、収納余裕を持たせて収納させている。従って、キャップ２４の蓋部２４ｇが閉まった状態では、キャップ２４をどの方向に向けても、スペアーペン先２３ａは自重落下せず、蓋部２４ｇが開いた状態では、スペアーペン先２３ａが自重落下するようになっている。
尚、キャップ２４の蓋部２４ｇは、キャップ２４と一体で示したが、別体で設けて、塗布具の内蔵インキを示すような、インキ色の表示部材と兼用させても良い。
【００１１】
作用効果は、第一実施例と同様である。さらに、本実施例では、スペアーペン先は蓋付きで収納されているので、汚れ防止できるものである。また、スペアーペン先は、余裕のある状態で収納されているので、軟質のペン先であっても変形しないで収納できるものである。
さらに、キャップを透明材料、半透明材料又は着色半透明材料（スモーク色）といった透視性を有する材料で形成すれば、キャップの蓋部が閉じた状態でも、スペアーペン先の有無が容易に判別できるものであり、スペアーペン先の補充要否を容易に判明できるものである。
【００１２】
【発明の効果】
本発明の塗布具用のキャップを用いることにより、塗布具全体が嵩張らないで、スペアーのペン先を収納できるものである。
【図面の簡単な説明】
【図　１】第一実施例正面図である。
【図　２】図１の拡大上面図である。
【図　３】第二実施例正面図である。
【図　４】第二実施例キャップの正面図である。
【図　５】図３の拡大上面図である。
【図　６】第三実施例キャップの正面図である。
【図　７】図７の拡大上面図である。
【図　８】図６の蓋部が開いた状態図である。
【符号の説明】
１　　　本体
２　　　前軸
３　　　ペン先
１３　　　ペン先
３ａ　　スペアーペン先
１３ａ　　スペアーペン先
４　　　キャップ
１４　　　キャップ
２４　　　キャップ
４ｂ　　クリップ
１４ｂ　　クリップ
２４ｂ　　クリップ
４ｅ　　ペン先収納部
１４ｅ　　ペン先収納部
２４ｅ　　ペン先収納部
【図１】
2004025475.tif 000003
【図２】
2004025475.tif 000004
【図３】
2004025475.tif 000005
【図４】
2004025475.tif 000006
【図５】
2004025475.tif 000007
【図６】
2004025475.tif 000008
【図７】
2004025475.tif 000009
【図８】
2004025475.tif 000010